(57)【特許請求の範囲】
【請求項１】
クリップが別体に設けられる筆記具用キャップであって、
前記キャップの外周部には、前記クリップが装着されるクリップ取付け部が突設形成され、前記クリップ取付け部内には、キャップの内側と外部とを貫通する通気孔が設けられ、
前記クリップ取付け部にクリップを装着した状態で、前記クリップが前記通気孔を覆うとともに、前記クリップ内側と前記クリップ取付け部との間に隙間を形成して、前記通気孔と外部とを連通する空気通路を形成することを特徴とする筆記具用キャップ。
【請求項２】
前記キャップは、キャップ本体と天冠部とが別体に着脱可能に構成されるものであって、前記天冠部に前記クリップ取付け部が形成されることを特徴とする請求項１に記載の筆記具用キャップ。
【請求項３】
前記キャップは、前記クリップ取付け部の外周に沿って凹部が形成されることを特徴とする請求項１または２に記載の筆記具用キャップ。
【請求項４】
前記キャップは、内部に筆記具本体のペン先部近傍を塞ぐ中キャップを備えるものであって、前記中キャップの外周部には、該筆記具本体にキャップを装着した状態で、該中キャップを境に隔離されるキャップ内側の先端側空間と筆記具本体側空間とを連通する空気通路が形成されることを特徴とする請求項１乃至３のうちの何れか一項に記載の筆記具用キャップ。
【請求項５】
前記クリップは、一端部をキャップへ装着するための取付け部として、該取付け部をキャップの先端部を超えないキャップ外周上に配置するとともに、他方端を開放端部として、該開放端部をキャップの筆記具本体側端部を越えないキャップ外周上に配置することを特徴とする請求項１乃至４のうちの何れか一項に記載の筆記具用キャップ。
【請求項６】
前記キャップに設けられる通気孔は、視認されない外観及び構成とすることを特徴とする請求項１乃至５のうちの何れか一項に記載の筆記具用キャップ。
【発明の詳細な説明】
【０００１】
【発明の属する技術分野】
本発明は、筆記具用キャップに関し、特に、着脱自在に別体で構成された筆記具用キャップに関するものである。
【０００２】
【従来の技術】
一般に、油性ボールペンや水性ボールペンなど筆記具には、不使用時には筆記部前端を包囲して保護するように着脱自在のキャップが設けられている。
特に、一部の筆記具においては、筆記部が乾燥しないようにその先端部を外気から遮断すべく、キャップで密閉包囲するようにされている。
【０００３】
しかしながら、通気性のない密閉タイプのキャップは、幼児などが誤って飲み込んだ場合には窒息する恐れがあった。
そこで、キャップを外筒部と内筒部により構成して、その連結部に通気孔を設けて通気性を備えたものや、キャップ本体の外形を工夫して、該キャップの凹凸により形成される隙間を利用して通気性を備えたものなど様々なものが知られている。
【０００４】
例えば、特開平８−１９７８８９号公報や特開平９−１６９１９６号公報などに開示されているように、キャップの先端部に通気孔を形成したものや、特開２０００−４３４７７号公報に開示されているように、キャップ外周側部に通気孔を形成して、キャップ内側と外部とを連通して通気性をもたせたものが提案されている。
また、実用新案登録２５７９６９７号公報に開示されているように、クリップが一体的に形成されたキャップの、クリップ取付け部の断面形状を中央部がくびれた形状にすることで、万が一幼児が飲み込んだ場合であっても、くびれ部分が空気通路となるようにしたものが提案されている。
【０００５】
【発明が解決しようとする課題】
しかしながら、上記従来の方式によると、キャップ形状が複雑になるために成形加工が困難であったり、構造が複雑になるために組立て性に難があるという問題があった。また、外周部に通気孔が形成されていると外観を損なうという欠点もあった。
【０００６】
本発明は、上記従来の問題点に鑑みてなされたものであり、簡単な構成で、外観を損なうことなく、誤飲時の通気径路を確保できる筆記具用キャップを提供することを目的とするものである。
【０００７】
【課題を解決するための手段】
本発明は、筆記具用キャップに係り、クリップが別体に設けられる筆記具用キャップであって、前記キャップの外周部には、前記クリップが装着されるクリップ取付け部が突設形成され、前記クリップ取付け部内には、キャップの内側と外部とを貫通する通気孔が設けられ、前記クリップ取付け部にクリップを装着した状態で、前記クリップが前記通気孔を覆うとともに、前記クリップ内側と前記クリップ取付け部との間に隙間を形成して、前記通気孔と外部とを連通する空気通路を形成することを特徴とするものである。
【０００８】
前記キャップは、キャップ本体と天冠部とが別体に着脱可能に構成されるものであって、前記天冠部に前記クリップ取付け部が形成されることが好ましい。
【０００９】
また、前記キャップは、前記クリップ取付け部の外周に沿って凹部が形成されることが好ましい。
【００１０】
また、前記キャップは、内部に筆記具本体のペン先部近傍を塞ぐ中キャップを備えるものであって、前記中キャップの外周部には、該筆記具本体にキャップを装着した状態で、該中キャップを境に隔離されるキャップ内側の先端側空間と筆記具本体側空間とを連通する空気通路が形成されることが好ましい。
【００１１】
また、前記クリップは、一端部をキャップへ装着するための取付け部として、該取付け部をキャップの先端部を超えないキャップ外周上に配置するとともに、他方端を開放端部として、該開放端部をキャップの筆記具本体側端部を越えないキャップ外周上に配置することが好ましい。
また、前記キャップに設けられる通気孔は、視認されない外観及び構成とすることが好ましい。
【００１２】
本発明によれば、キャップの外周部に、前記クリップが装着されるクリップ取付け部を突設形成し、前記クリップ取付け部内に、キャップの内側と外部とを貫通する通気孔を設けることで、前記クリップ取付け部にクリップを装着した状態で、該クリップにより前記通気孔が覆われるため外から見えず、したがって、外観を損なうことなく窒息防止用の空気通路を形成することができる。
【００１３】
また、前記キャップを、キャップ本体と天冠部とが別体に着脱可能に構成することにより、複雑なキャップの構成を分割することで、構成部品の形状を簡易なものにすることができ、部分的な変更も可能にできる。しかも、キャップの組立てが容易にできる。
【００１４】
また、前記クリップ取付け部の外周に沿って凹部を形成することで、誤ってキャップを飲み込んだ場合に、前記凹部が空気通路となるため、キャップの外周部に形成される通気孔と合せて通気性の向上を図ることができる。
【００１５】
また、前記キャップは、内部に筆記具本体のペン先部近傍を塞ぐ中キャップを備えるものであっても、前記中キャップの外周部に空気通路を形成することで、ペン先部近傍の密閉性を備えるとともに、窒息防止用の空気通路を確保することができる。
【００１６】
また、前記クリップは、キャップの長さを超えない長さにして、キャップの端部より突出しないように配置することで、引っ掛かることなく機能するとともに、見栄えの良い外観を構成することができる。
さらに、前記キャップに設けられる通気孔を、視認されない外観及び構成とすることで見栄えの良い外観を構成することができる。
【００１７】
【発明の実施の形態】
以下、本発明の実施形態を、図面を参照して詳細に説明する。
図１〜図５は本発明の実施形態の一例であって、図１の（ａ）は本発明の本実施形態に係る筆記具用キャップを装着した筆記具の全体の構成を示す説明図、（ｂ）は前記筆記具を使用する状態の構成を示す説明図、図２は前記筆記具用キャップをペン先部に装着した状態のペン先部付近の構成を示す詳細断面図、図３は前記筆記具用キャップを筆記具の後端部に装着した状態の後端部の構成を示す詳細断面図、図４の（ａ）は前記筆記具用キャップの天冠部の構成を示す側面図、（ｂ）は（ａ）のＡ−Ａ断面矢視図、（ｃ）は（ａ）のＢ−Ｂ断面矢視図、図５の（ａ）は本実施形態に係るクリップの装着時の状態を示す平面図、（ｂ）は前記クリップの装着完了状態を示す平面図である。
【００１８】
本実施形態は、図１の（ａ）、（ｂ）に示すように、筆記具本体２と、別体に構成され筆記具用キャップ３を備える筆記具１である。
前記筆記具本体２は、内部にインクが充填されるインクタンク部４と該インクタンク部４の後側部の外周を覆う後軸５を備えている。
前記インクタンク部４前側のペン先部８には、ペン先支持部６、７を介してペン先８ａが組み込まれている。前記ペン先部８後方のインクタンク部４内には、インク保溜体１０が設けられ、インクを保溜してインク漏れを防止するようになっている。
【００１９】
前記インク保溜体１０は、外周部に多数形成された周溝を保溜溝１０ａとし、この保溜溝１０ａを連通させる縦溝（図示省略）が形成されている。この縦溝はインク室１１に通じており、インク室１１内の空気が温度変化等で膨張しインクをインク室１１から押しだそうとしたとき、ペン先部８からインクをボタ落ちさせないように前記縦溝を経て保溜溝１０ａに一時的に溜め、また、インク室の空気が収縮し元の状態に戻ったときは保溜溝１０ａのインクはインク室１１に戻る機能をなしている。
【００２０】
前記インク保溜体１０の中心部には、軸方向に通気孔１２が形成され、この通気孔１２にインク誘導芯１３が該通気孔１２の後部（インク室側）では圧入嵌合か又は多少の隙間をもって貫装されている。更に、このインク誘導芯１３の先端は、ペン先部８に接続されてインク室１１のインクをペン先部８に供給するようになっている。
また、インク室１１のインクをペン先部８に供給するインク誘導芯１３を付設させるための通気孔１２が形成されたインク保溜体１０の側面部には、上記通気孔１２に連通する通気孔（図示省略）が設けられている。
【００２１】
一方、前記インクタンク部４の外周部の中央付近には、ネジ部４ａが形成され、後軸５に螺着するようになっている。該インクタンク部４の外形形状は、前記ネジ部４ａを境に前側部４ｃの外径が後側部４ｄの外径より大径とした、いわゆる段付き形状を呈している。この段付き部４ｂから前側部４ｃに向かい一部の範囲が先細のテーパー状に形成されている。前記ネジ部４ａから後側部４ｄは、後方に向かいやや先細のテーパー状に形成されている。
【００２２】
前記後軸５は、透明の樹脂製であって、一端部５ａ側が開口形成され、その内側に前記ネジ部４ａに対応する位置にネジ部５ｂが形成されている。また、前記一端部５ａから後端部５ｃに向かいやや先細の円筒形状の外形を呈しており、その内部に前記インクタンク部４後側部４ｄを収容して、その後側部４ｄを全周に亘り覆うようにされている。
【００２３】
前記一端部５ａは、前記インクタンク部４が螺着された状態で前記段付き部４ｂが当接されるとともに、前記筆記具用キャップ３を装着した状態で、いわゆるストッパーの役割を成すように前記段付き部４ｂの外径よりも大径に形成されている。
前記後端部５ｃは、前記後軸５の後端部であって、閉ざされた略半球状を呈し、その略中央部には該後軸５内部と外部とを連通する通気孔１５が形成されている。
【００２４】
前記筆記具用キャップ３は、図２、図４の（ａ）〜（ｃ）に示すように、キャップ本体２０と天冠部２１とが別体に着脱可能に構成されており、その内部の天冠部２１側に中キャップ２２が配置され、該天冠部２１外側部にはクリップ２３が別体で設けられている。
前記キャップ本体２０は、透明の樹脂製で、略円筒形状を呈し、一端部に天冠部２１が嵌入される前開口部２０ａが形成されるとともに、他端部に前記インクタンク部４の段付き部４ｂが嵌入される後開口部２０ｂが形成されている。
【００２５】
前記前開口部２０ａの内側には、図２に示すように、天冠部２１を保持固定するための天冠部係止部２０ｃと中キャップの脱落防止用の中キャップ係止部２０ｄとが各々円周方向に沿って内側に向かい連続的に突設され、また、嵌入されるインクタンク部４のペン先側端部４ｅを保持するためのインクタンク係止部２０ｅが円周方向に沿って複数箇所で内側に向かい突設されている。
前記後開口部２０ｂの内径は、前記段付き部４ｂの外径よりもやや小径として、筆記具本体２に筆記具用キャップ３を装着した状態できつい嵌合となるように構成されている。
【００２６】
前記天冠部２１は、図２、図４の（ａ）〜（ｃ）、５の（ａ）、（ｂ）に示すように、着色された透明の樹脂製で、先端部２１ａの形状を略半球形状とした略砲弾状とし、他端部２１ｂ側を開口形成するとともに略円筒形状として、その内側を中空にして中キャップ２２が設置されるように形成されている。
前記先端部２１ａは、その内側を軸心方向に沿って後方に突出させて、前記中キャップ２２をガイドするガイド部２１ｊが形成されている。
前記他端部２１ｂは、円筒状の外径を前記キャップ本体２０の前開口部２０ａの内径と略同寸法とするとともに、該先端部２１ａが前記キャップ本体２０の前開口部２０ａに嵌入された状態で、該先端部２１ａ外周の前記天冠部係止部２０ｃと対向する位置に、ノッチ部２１ｎが円周方向に沿って連続的に形成されている。
【００２７】
また、前記天冠部２１には、図２、図４の（ａ）に示すように、外側部の略中央に、クリップ２３が取付けられる取付け面２１ｃが軸心方向と略平行にかつ平坦に形成されている。該取付け面２１ｃの上側には、クリップ２３の内側面と当接して該クリップ２３を位置決めするためのストッパー部２１ｄが前記取付け面２１ｃと略平行に突設されている。また、図５の（ａ）、（ｂ）に示すように、前記取付け面２１ｃの後方でさらに突出して、側面視で先端部２１ａ側から他端部２１ｂ側に向かい高くなる略矩形のクサビ形状を呈し、平面視で先端部２１ａ側から他端部２１ｂ側に向かい幅広の略矩形のクサビ形状を呈するクリップ取付け部２１ｅが突設されている。
【００２８】
前記クリップ取付け部２１ｅは、図４の（ａ）、（ｂ）に示すように、前記取付け面２１ｃからの立ち上がり部分の左右側部に、幅方向に狭まるガイド溝２１ｆが形成されている。
また、前記クリップ取付け部２１ｅの略中央部には、図４の（ａ）〜（ｃ）、図５の（ａ）、（ｂ）に示すように、天冠部２１の内側空間部と外部とを連通する通気孔２５が形成されている。前記通気孔２５は、平面視で軸心方向に長い断面矩形状を呈している。
【００２９】
前記ガイド溝２１ｆは、平面断面視で先端部２１ａ側から他端部２１ｂ側に向かい幅広の略矩形のクサビ形状を呈するとともに、該ガイド溝２１ｆの側面の一部を突出させた浅い鋸歯状に形成している。また、該ガイド溝２１ｆの他端部２１ｂ側の端部には、該ガイド溝２１ｆに導かれるクリップ２３の一部が当接するストッパー部２１ｇが形成されている。
【００３０】
前記天冠部２１の外側部には、前記取付け面２１ｃの外周に沿って、外周輪郭より凹んだ状態で、かつ、先端部２１ａ側を軸心に近く、他端部２１ｂに向うに連れて遠くなる、先端下がりに凹部２１ｈが形成されている。
【００３１】
前記クリップ２３は、金属製で成形加工されたものであって、図１に示すように、該クリップ２３の全長を筆記具用キャップ３の全長よりも短く構成されており、一端部をキャップへ装着するための取付け部２３ａとし、他方端を開放端部２３ｂとして構成されている。
【００３２】
前記取付け部２３ａは、図２、図４の（ａ）〜（ｃ）に示すように、クリップ取付け部２１ｅを覆うとともに、側面視でその先端部を該クリップ取付け部２１ｅの側壁に対向させた略Ｌ字断面形状に形成し、図５の（ａ）、（ｂ）に示すように、平面視で半円状に湾曲させてクリップ取付け部２１ｅを覆うとともに、該取付け部２３ａの内壁の一部を前記ストッパー部２１ｄの先端部に当接するようにされている。
【００３３】
また、取付け部２３ａは、図４の（ａ）、（ｂ）に示すように、該クリップ取付け部２１ｅと対向する部分を側面視で略断面Ｃ字形状（下方に開放したＣ字）に形成し、図５に示すように、平面視で前記ガイド溝２１ｆに沿うように先端部側から他端部側に向かい幅広の隙間を形成する略鋸歯状の狭持部２３ｃを折り曲げ形成している。また、図４の（ｃ）に示すように、該クリップ取付け部２１ｅ端部より後方の部分を側面視で略断面コ字形状（下方に開放したコ字）に形成している。
前記狭持部２３ｃの他端部側の端部２３ｄは、前記ガイド溝２１ｆのストッパー部２１ｇに当接して該クリップ２３を位置決めするようにされている。
【００３４】
前記クリップ取付け部２１ｅのクリップ２３を取付けた状態で、図４に示すように、該クリップ取付け部２１ｅと取付け部２３ａとの間に隙間を形成して空気通路２４を構成するようにされている。
【００３５】
前記中キャップ２２は、図２に示すように、外径を天冠部２１の中空部の内径より小径とする略円筒形状の外形を有し、該中キャップ２２の外周壁と前記天冠部２１の内周壁との間に空間をつくり、空気通路２７を形成している。
前記空気通路２７は前記通気孔２５を介して筆記具用キャップ３外部と連通されている。
【００３６】
前記中キャップ２２の一端部には、天冠部２１のガイド部２１ｊが挿入されるガイド孔２２ａが形成され、該ガイド孔２２ａにコイルスプリング２６が配置され、一方、他端部には、ペン先部８か収容される中空部２２ｂが形成され、その開口側端部２２ｃと該ペン先部８外周の一部が当接する状態で、ペン先８ａが中キャップ２２内壁と接触しないようにされている。
前記ガイド孔２２ａの底部には、ストッパー部２２ｆが開口側に向かい突設されており、筆記具用キャップ３内にペン先部８が収容された状態で、該ストッパー部２２ｆと前記ガイド部２１ｊとが当接しないようにされている。
【００３７】
前記他端部側の外周部には、円周方向に沿ってガイド羽２２ｄが複数個突出形成されており、キャップ本体２０の内周壁をガイドにして、中キャップ２２の外周壁がキャップ本体２０の内周壁と接することなく、中キャップ２２が摺動自在に設置されている。また、隣り合うガイド羽２２ｄの間の空間を空気通路２２ｅとして、中キャップ２２内部のキャップ先端側と筆記体側との空間を連通可能にしている。
【００３８】
ここで、本実施形態による筆記具用キャップの装着について説明する。
筆記具１を使用しない場合は、筆記具１のペン先部８に筆記具用キャップ３を装着して、ペン先部８が露出した状態で不用意に他を汚さないように、また、ペン先が乾燥しないようにする。
このとき、筆記具用キャップ３は、図１の（ａ）、図２に示すように、後開口部２０ｂが後軸５一端部５ａと当接した状態でインクタンク部４の段付き部４ｂと嵌合するとともに、インクタンク係止部２０ｅにペン先側端部４ｅが嵌合してインクタンク部４に装着保持される。筆記具用キャップ３内のペン先部８は、中キャップ２２を押圧した状態で配置されている。
【００３９】
前記中キャップ２２は、天冠部２１のガイド部２１ｊと該中キャップ２２のストッパー部２２ｆとが当接しない状態で、コイルスプリング２６によりペン先部８に付勢されている。これにより、開口側端部２２ｃがペン先部８に密着することで、ペン先を中空部２２ｂ内に密閉した状態で収容できる。
【００４０】
一方、筆記具１を使用する場合、筆記具用キャップ３を筆記具本体２先端部より外し、該筆記具本体２の後端部に装着して使用する。
このとき、筆記具用キャップ３は、図１の（ｂ）、図３に示すように、中キャップ係止部２０ｄおよびインクタンク係止部２０ｅによるきつい嵌合で後軸５の後端部５ｃに保持されるとともに、中キャップ２２を押圧した状態で装着されている。
【００４１】
前記筆記具用キャップ３は、中キャップ２２が後端部５ｃによりコイルスプリング２６を付勢しながら筆記具用キャップ３内に押し込まれ、ストッパー部２２ｆが天冠部２１のガイド部２１ｊと当接することで後軸５の後端部の所定位置に装着される。
【００４２】
以上のように構成したので、本実施形態によれば、筆記具用キャップ３の内部に中キャップ２２を配置して、該中キャップ２２の外周部に複数個のガイド羽２２ｄを形成したので、筆記具を未使用時に筆記具用キャップ３によりペン先８ａを保護し、ペン先８ａの乾燥を防止することができるとともに、不用意に筆記具用キャップ３を飲み込んだ場合でも、ガイド羽２２ｄが形成する空気通路２２ｅにより窒息を防止することができる。
【００４３】
また、前記クリップ取付け部２１ｅの外周に沿って凹部２１ｈを形成することで、誤って筆記具用キャップ３を飲み込んだ場合でも、図５の（ｂ）、（ｃ）に示すように前記凹部２１ｈが空気通路２８を形成するため、天冠部２１の外周部に形成される通気孔２５と合せて通気性の向上を図ることができる。
また、クリップ２３を、筆記具用キャップ３の外側部に突設したクリップ取付け部２１ｅの側部に形成したガイド溝２２ｆに取付けるようにしたので、クリップ取付作業を容易に行なうことができる。
【００４４】
また、筆記具用キャップ３を、キャップ本体２０と天冠部２１とが別体に着脱可能に構成したので、複雑な筆記具用キャップ３の構成を分割することで、構成部品の形状を簡易なものにすることができ、部分的な変更も可能にできる。しかも、キャップの組立てを容易にできるので、組立て作業性の向上を図ることができる。
また、クリップ２３の長さを、キャップの長さを超えない長さにしたので、キャップの端部より突出しないように配置することで、引っ掛かることなく機能するとともに、見栄えの良い外観を構成することができる。
【００４５】
尚、本実施形態では、中キャップ２２の外周部にガイド羽を設けて通気通路を形成しているが、本発明は、中キャップの形状に限定されるものではなく、中キャップの外周部に空気通路を形成するものであれば、例えば、中キャップの外周部に通気溝、または通気孔を形成したものであっても良い。
また、本実施形態では、クリップ２３に狭持部２３ｃを設けてクリップ取付け部２１ｅに装着するようにしているが、本発明は、クリップの取付方法に限定されるものではなく、別体で構成されたクリップにより、クリップ取付け部に形成された通気孔を覆い、外見では該通気孔を確認できない状態にして、かつ、クリップ取付け部とクリップとの間に空気通路を形成するものであれば、これに限定されるものではない。
【００４６】
また、本実施形態では、筆記具の構成部品を透明な樹脂製で形成して、内部の構成を視認可能にしているが、本発明は、これに限定されるものではなく、非透明の材料によって形成されるものであっても良く、さらに、着色に限定されるものではない。
【００４７】
次に、本発明に係る第２の実施形態について、図面を参照して詳細に説明する。
図６〜図８は本発明の第２の実施形態であって、図６は本発明の第２の実施形態に係る筆記具用キャップの全体の構成を示す断面図、図７は図６のＣ−Ｃ断面矢視図、図８は図６のＤ−Ｄ断面矢視図である。
尚、図中、前記実施形態の図１〜図５の符号と同一の符号を付した部分は同一物を表わし、説明を省略する。
【００４８】
第２の実施形態は、図６〜図８に示すように、一体で構成されたキャップ本体１２０内部に中キャップ１２２が配置され、外側部にクリップ２３が別体で設けられた筆記具用キャップ１００である。
前記キャップ本体１２０は、透明の樹脂製で、全体を略円筒形状を呈するとともに、先端部１２０ａの形状を略半球形状とした略砲弾状としている。
前記先端部１２０ａは、その内側を軸心方向に沿って後方に突出させて、前記中キャップ１２２をガイドするガイド部１２１ｊが形成されている。
後端部１２０ｂには、ペン先部８が嵌入される開口部１２０ｃが形成されている。
【００４９】
前記先端部１２０ａの内側には、図６に示すように、中キャップ１２２の脱落防止用の中キャップ係止部１２０ｄが円周方向に沿って内側に向かい連続的に突設され、また、嵌入されるペン先側端部４ｅを保持するためのインクタンク係止部１２０ｅが円周方向に沿って複数箇所で内側に向かい突設されている。
前記開口部１２０ｃの内径は、段付き部４ｂの外径よりもやや小径として、筆記具本体２に筆記具用キャップ１００を装着した状態できつい嵌合となるように構成されている。
【００５０】
また、前記キャップ本体１２０の外周部１２０ｆには、図６、図７に示すように、クリップ取付け部１２１が側面視及び平面視で略矩形状にキャップ本体１２０と一体的に突出形成されている。
前記クリップ取付け部１２１の上面１２１ｃは、側面視で先端部１２１ａ側から他端部１２１ｂ側に亘り後方に向かい高くなる略矩形のクサビ形状を呈し、かつ、平面視で先端部１２１ａ側から他端部１２１ｂ側に亘り後方に向かい幅広の略矩形のクサビ形状を呈している。
【００５１】
また、前記クリップ取付け部１２１は、図７、図８に示すように、外周部１２０ｆからの立ち上がり部分の左右側部に、幅方向に狭まるガイド溝１２１ｆが形成されている。
また、前記クリップ取付け部１２１の略中央部には、図６〜図８に示すように、キャップ本体１２０の内側空間部と外部とを連通する通気孔１２５が形成されている。前記通気孔１２５は、平面視で軸心方向に長い断面矩形状を呈している。
【００５２】
前記ガイド溝１２１ｆは、平面断面視で先端部１２１ａ側から他端部１２１ｂ側に亘り後方に向かい幅広の略矩形のクサビ形状を呈するとともに、該ガイド溝１２１ｆの側面の一部を突出させた浅い鋸歯状に形成している。また、該ガイド溝１２１ｆの他端部１２１ｂ側の端部には、該ガイド溝１２１ｆの先端側より導かれるクリップ１２３の一部が当接するストッパー部１２１ｇが形成されている。
【００５３】
前記クリップ１２３は、金属製で成形加工されたものであって、図６に示すように、該クリップ１２３の全長をキャップ本体１２０の全長よりも短く構成され、一端部にキャップ本体１２０へ装着するための取付け部１２３ａが設けられ、他方端に開放端部１２３ｂが設けられている。
【００５４】
前記取付け部１２３ａは、図６、図７に示すように、クリップ取付け部１２１の上部を覆うとともに、側面視でその先端部１２３ｃを該クリップ取付け部１２１の前方に突設させ、平面視で半円状に湾曲させてクリップ取付け部１２１の前方に空間部１２３ｄが形成されている。
【００５５】
また、取付け部１２３ａは、図８に示すように、該クリップ取付け部１２１と対向する部分を側面視で略断面Ｃ字形状（下方に開放したＣ字）に形成し、図７、図８に示すように、平面視で前記ガイド溝１２１ｆに沿うように先端部側から他端部側に向かい幅広の隙間を形成する略鋸歯状の狭持部１２３ｅを折り曲げ形成している。また、該クリップ取付け部１２１の端部より後方の部分は、側面視で略断面コ字形状（下方に開放したコ字）に形成されている。
前記狭持部１２３ｅの他端部側の端部１２３ｆは、前記ガイド溝１２１ｆのストッパー部１２１ｇに当接して該クリップ１２３を位置決めするようにされている。
【００５６】
前記クリップ取付け部１２１にクリップ１２３を取付けた状態で、図８に示すように、該クリップ取付け部１２１と取付け部１２３ａとの間に隙間が形成されて空気通路１２４が構成されている。
【００５７】
前記中キャップ１２２は、図６に示すように、外径をキャップ本体１２０の中空部の内径より小径とする略円筒形状の外形を有し、該中キャップ１２２の外周壁とキャップ本体１２０の内周壁との間に空間をつくり、空気通路１２７を形成している。
前記空気通路１２７は前記通気孔１２５を介してキャップ本体１２０外部と連通されている。
【００５８】
前記中キャップ１２２の一端部には、キャップ本体１２０の先端部１２０ａのガイド部１２１ｊが挿入されるガイド孔１２２ａが形成され、該ガイド孔１２２ａにコイルスプリング１２６が配置され、一方、他端部には、ペン先部８か収容される中空部１２２ｂが形成され、その開口側端部１２２ｃと該ペン先部８外周の一部が当接する状態で、ペン先８ａが中キャップ１２２内壁と接触しないようにされている。
前記ガイド孔１２２ａの底部には、ストッパー部１２２ｆが開口側に向かい突設されており、キャップ本体１２０内にペン先部８が収容された状態で、該ストッパー部１２２ｆと前記ガイド部１２１ｊとが当接しないようにされている。
【００５９】
前記他端部側の外周部には、円周方向に沿ってガイド羽１２２ｄが複数個突出形成されており、キャップ本体１２０の内周壁をガイドにして、中キャップ１２２の外周壁がキャップ本体１２０の内周壁と接することなく、中キャップ１２２が摺動自在に設置されている。また、隣り合うガイド羽１２２ｄの間の空間を空気通路１２２ｅとして、中キャップ２２内部のキャップ先端側と筆記体側との空間を連通可能にしている。
【００６０】
つぎに、第２の本実施形態による筆記具用キャップの装着について説明する。
筆記具１における筆記具用キャップ１００の扱いは、前記第１の実施形態とほぼ同様な操作により行なわれる。
すなわち、筆記具１を使用しない場合は、筆記具１のペン先部８に筆記具用キャップ１００を装着して、ペン先部８が露出した状態で不用意に他を汚さないように、また、ペン先が乾燥しないようにされている。
このとき、筆記具用キャップ１００は、図１の（ａ）、図６を参照して、後端部１２０ｂの開口部１２０ｃが後軸５一端部５ａと当接した状態でインクタンク部４の段付き部４ｂと嵌合するとともに、インクタンク係止部２０ｅにペン先側端部４ｅが嵌合してインクタンク部４に装着保持される。筆記具用キャップ１００内のペン先部８は、中キャップ１２２を押圧した状態で配置されている。
【００６１】
前記中キャップ１２２は、キャップ本体１２０のガイド部１２１ｊと該中キャップ１２２のストッパー部１２２ｆとが当接しない状態で、コイルスプリング１２６によりペン先部８に付勢されている。これにより、開口側端部１２２ｃがペン先部８に密着することで、ペン先を中空部１２２ｂ内に密閉した状態で収容できる。
【００６２】
一方、筆記具１を使用する場合、筆記具用キャップ１００を筆記具本体２先端部より外し、該筆記具本体２の後端部に装着して使用する。
このとき、筆記具用キャップ３は、図１の（ｂ）、図６に示すように、中キャップ係止部１２０ｄおよびインクタンク係止部１２０ｅによるきつい嵌合で後軸５の後端部５ｃに保持されるとともに、中キャップ１２２を押圧した状態で装着されている。
【００６３】
前記キャップ本体１２０は、中キャップ１２２が後端部５ｃによりコイルスプリング１２６を付勢しながらキャップ本体１２０内に押し込まれ、ストッパー部１２２ｆがキャップ本体１２０のガイド部１２１ｊと当接することで後軸５の後端部の所定位置に装着される。
【００６４】
以上のように構成したので、第２の実施形態によれば、第１の実施形態と同様に、キャップ本体１２０の内部に中キャップ１２２を配置して、該中キャップ１２２の外周部に複数個のガイド羽１２２ｄを形成したので、筆記具を未使用時に筆記具用キャップ１００によりペン先８ａを保護し、ペン先８ａの乾燥を防止することができるとともに、不用意に筆記具用キャップ１００を飲み込んだ場合でも、ガイド羽１２２ｄが形成する空気通路１２２ｅにより窒息を防止することができる。
【００６５】
また、クリップ１２３を、キャップ本体１２０の外周部１２０ｆに突設されたクリップ取付け部１２１の側部に形成されたガイド溝１２１ｆに取付けるようにしたので、クリップ取付け作業を容易に行なうことができる。
【００６６】
また、クリップ１２３の長さを、第１の実施形態と同様にキャップ本体１２０の長さを超えない長さにしたので、キャップの端部より突出しないように配置することで、引っ掛かることなく機能するとともに、見栄えの良い外観を構成することができる。
また、筆記具用キャップ１００において、キャップ本体１２０の構成を、第１の実施形態の構成とは異なり、クリップ取付け部１２１を一体的に構成したので、部品点数を削減することができ、しかも、筆記具用キャップ１００の組立てを容易にできるので、組立て作業性の向上を図ることができる。
【００６７】
尚、第２の実施形態では、第１の実施形態と同様に中キャップ１２２の外周部にガイド羽を設けて通気通路を形成しているが、本発明は、中キャップ１２２の形状に限定されるものではなく、中キャップ１２２の外周部に空気通路１２７を形成するものであれば、例えば、中キャップ１２２の外周部に通気溝、または通気孔を形成したものであっても良い。
【００６８】
また、第２の実施形態では、第１の実施形態と同様にクリップ１２３に狭持部１２３ｅを設けてクリップ取付け部に装着するようにしているが、本発明は、クリップの取付け方法に限定されるものではなく、別体で構成されたクリップ１２３により、クリップ取付け部１２１に形成された通気孔１２５を覆い、外見では該通気孔１２５を確認できない状態にして、かつ、クリップ取付け部１２１とクリップ１２３との間に空気通路１２４を形成するものであれば、これに限定されるものではない。
【００６９】
また、第２の実施形態では、筆記具の構成部品を透明な樹脂製で形成して、内部の構成を視認可能にしているが、本発明は、これに限定されるものではなく、非透明の材料によって形成されるものであっても良く、さらに、着色に限定されるものではない。
【００７０】
次に、第２の実施形態による筆記具用キャップ１００の変形例を説明する。
第２の実施形態の変形例は、図９に示すように、キャップ本体１２０の外周部１２０ｆに、クリップ取付け部１２１の基部の外周に沿って、外周輪郭より凹んだ状態で、かつ、先端部１２１ａ側を軸心に近く、他端部１２１ｂに向うに連れて遠くなる、先端下がりに凹部１２１ｈを形成したものである。
【００７１】
この変形例によれば、クリップ取付け部１２１の外周に沿って凹部１２１ｈを形成することで、誤って筆記具用キャップ３を飲み込んだ場合でも、図９に示すように凹部１２１ｈがさらに広く空気通路１２８を形成するため、キャップ本体１２０の外周部に形成される空気通路１２４と合せて通気性の向上を図ることができる。
【００７２】
【発明の効果】
以上、説明したように本発明の請求項１〜６記載の筆記具用キャップによれば、キャップの外周部に突出形成したクリップ取付け部にキャップ内部に連通する通気孔を形成し、別体で構成したクリップをクリップ取付け部に装着するという簡単な構成で、該クリップ取付け部および通気孔を覆うとともに、クリップとクリップ取付け部との間に空気通路を形成することができ、したがって、誤ってキャップを飲み込んだ場合であっても通気径路を確保できという安全な構造を実現でき、しかも、外観を損なうことがないという優れた効果を奏する。
【図面の簡単な説明】
【図１】（ａ）は本発明の本実施形態に係る筆記具用キャップを装着した筆記具の全体の構成を示す説明図、（ｂ）は前記筆記具を使用する状態の構成を示す説明図である。
【図２】前記筆記具用キャップをペン先部に装着した状態のペン先部付近の構成を示す詳細断面図である。
【図３】前記筆記具用キャップを筆記具の後端部に装着した状態の後端部の構成を示す詳細断面図である。
【図４】（ａ）は前記筆記具用キャップの天冠部の構成を示す側面図、（ｂ）は（ａ）のＡ−Ａ断面矢視図、（ｃ）は（ａ）のＢ−Ｂ断面矢視図である。
【図５】（ａ）は本実施形態に係るクリップの装着時の状態を示す平面図、（ｂ）は前記クリップの装着完了状態を示す平面図である。
【図６】本発明の第２の実施形態に係る筆記具用キャップの全体の構成を示す断面図である。
【図７】図６のＣ−Ｃ断面矢視図である。
【図８】図６のＤ−Ｄ断面矢視図である。
【図９】第２の実施形態の変形例を示す筆記具用キャップの断面図である。
【符号の説明】
１  筆記具
２  筆記具本体
３、１００  筆記具用キャップ
４  インクタンク部
５  後軸
８  ペン先部
８ａ  ペン先
１５  通気孔
２０、１２０  キャップ本体
２０ｃ  天冠部係止部
２０ｄ  中キャップ係止部
２０ｅ  インクタンク係止部
２１  天冠部
２１ｃ  取付け面
２１ｄ  ストッパー部
２１ｅ、１２１  クリップ取付け部
２１ｆ、  ガイド溝
２１ｇ  ストッパー部
２１ｈ  凹部
２１ｊ  ガイド部
２１ｎ  ノッチ部
２２、１２２  中キャップ
２２ａ  ガイド孔
２２ｂ  中空部
２２ｃ  開口側端部
２２ｄ  ガイド羽
２２ｅ、１２２ｅ  空気通路
２２ｆ  ストッパー部
２３、１２３  クリップ
２３ａ  取付け部
２３ｂ  開放端部
２３ｃ  狭持部
２３ｄ  端部
２４、２７、２８、１２４、１２７、１２８  空気通路
２５、１２５  通気孔
２６、１２６  コイルスプリング
【図１】
0004574018.tif 000002
【図２】
0004574018.tif 000003
【図３】
0004574018.tif 000004
【図４】
0004574018.tif 000005
【図５】
0004574018.tif 000006
【図６】
0004574018.tif 000007
【図７】
0004574018.tif 000008
【図８】
0004574018.tif 000009
【図９】
0004574018.tif 000010